(57)【要約】【課題】容器内に蓄冷材や蓄熱材などの冷温材を保持することができ、冷温材の配置や取り出しが容易で、耐久性の高い冷温材の保持部材およびそれを備えた冷温容器を提供する。【解決手段】保持部材１０は、容器２０の内側で容器２０の側壁２２に沿って配置される支材部１１と、その支材部１１に設けられて冷温材Ｃ／Ｈを保持する保持部１２とを備える。保持部１２は、容器２０の底壁２１に垂直な方向の両側が開放されている。【選択図】図１
0003231141.tif 000002
【実用新案登録請求の範囲】
【請求項１】
容器と、該容器の内部を保冷または保温する冷温材を保持するための保持部材と、を備えた冷温容器であって、
前記保持部材は、前記容器の内側で該容器の側壁に沿って配置される支材部と、該支材部に設けられて前記冷温材を保持する保持部と、を備え、
前記保持部は、前記容器の底壁に垂直な高さ方向の両側が開放されていることを特徴とする冷温容器。
【請求項２】
前記支材部は、矩形箱型の前記容器の前記側壁において隣接する二以上の面に沿って配置されていることを特徴とする請求項１に記載の冷温容器。
【請求項３】
前記支材部は、前記側壁の全周にわたって配置されていることを特徴とする請求項１または請求項２に記載の冷温容器。
【請求項４】
前記支材部は、前記高さ方向において、前記容器の前記底壁から該底壁とは反対側の前記側壁の端部まで延在していることを特徴とする請求項１から請求項３のいずれか一項に記載の冷温容器。
【請求項５】
前記保持部は、前記高さ方向において、前記容器の前記底壁とは反対側の前記側壁の端部との間に間隙を有することを特徴とする請求項１から請求項４のいずれか一項に記載の冷温容器。
【請求項６】
前記保持部は、前記高さ方向において、前記容器の前記底壁との間に間隙を有することを特徴とする請求項１から請求項５のいずれか一項に記載の冷温容器。
【請求項７】
前記保持部は、前記支材部と、該支材部に取り付けられた帯状部とによって構成されていることを特徴とする請求項１から請求項６のいずれか一項に記載の冷温容器。
【請求項８】
前記帯状部は、前記冷温材を露出させる複数の貫通孔を有することを特徴とする請求項７に記載の冷温容器。
【請求項９】
前記容器は、前記高さ方向において前記底壁と反対側の開口部を閉塞する蓋部と、該蓋部の一側を前記側壁に枢動可能に連結するヒンジ部とを有し、
前記保持部材は、前記容器の内側で前記蓋部に沿って配置される蓋用支材部と、該蓋用支材部に設けられて前記冷温材を保持する蓋用保持部とを有し、
前記蓋用保持部は、前記蓋部の枢動軸と平行な方向の両側が開放されていることを特徴とする請求項１から請求項８のいずれか一項に記載の冷温容器。
【請求項１０】
前記蓋用保持部は、前記蓋用支材部と、該蓋用支材部に取り付けられた蓋用帯状部とによって構成されていることを特徴とする請求項９に記載の冷温容器。
【請求項１１】
前記容器は、発泡樹脂製の前記底壁および前記側壁を含む断熱容器であることを特徴とする請求項１から請求項１０のいずれか一項に記載の冷温容器。
【請求項１２】
容器の内部を保冷または保温する冷温材を保持するための保持部材であって、
前記容器の内側で該容器の側壁に沿って配置される支材部と、該支材部に設けられて前記冷温材を保持する保持部と、を備え、
前記保持部は、前記容器の底壁に垂直な方向の両側が開放されていることを特徴とする保持部材。
【考案の詳細な説明】
【技術分野】
【０００１】
本考案は、容器の内部に保冷または保温用の冷温材が配置される冷温容器および該容器の内部に冷温材を保持するための保持部材に関する。
【背景技術】
【０００２】
従来から冷凍または冷蔵食品等の被保冷物を保冷する際に用いられる保冷具を保持するための保冷具保持体およびこれを備えた保冷ボックスに関する発明が知られている（下記特許文献１を参照）。
【０００３】
特許文献１に記載された保冷具保持体は、本体の端部に保冷ボックスの内部に取り付けるための取付手段を設け、同本体の側面に保冷具を保持するための保持部を設けたことを特徴としている（同文献、請求項１等を参照）。この構成により、保冷具が保冷ボックス内に収容されている被保冷物に対して適当な位置に保持されるように、本体を保冷ボックス内に取り付けることができ、被保冷物を長時間効果的に保冷することができる（同文献、第０００９段落を参照）。
【０００４】
また、蓄冷材を保持するための蓄冷用シートに関する発明が知られている（下記特許文献２を参照）。特許文献２には、コンテナの内壁に取り付け可能に構成され、蓄冷材を保持するための蓄冷用シートが記載されている（同文献、請求項１を参照）。この蓄冷用シートは、断熱材からなるベースシートと、このベースシートの一方の面に設けられ、蓄冷材を収納するための複数の収納ポケットとを有している。
【０００５】
特許文献２に記載された蓄冷用シートにおいて、ベースシートは、収納ポケットに蓄冷材を収納するための収納口を有するとともに、収納ポケットとは反対側の面に、蓄冷用シートをコンテナの内壁に取り付けるための面ファスナーを有している。この構成により、ベースシートの収納ポケットとは反対側を取り付け面として収納領域の内壁面や床面、天井に取り付けた場合、収納口が表出せず、見栄えが悪くなってしまうことがなく、蓄冷材を脱落しにくくすることができる（同文献、第００１３段落を参照）。
【先行技術文献】
【特許文献】
【０００６】
【特許文献１】特開２００４−３４０３８８号公報
【特許文献２】特許第６１６９８８３号公報
【考案の概要】
【考案が解決しようとする課題】
【０００７】
特許文献１に記載された保冷具保持体において、保冷具を保持する保持部は、本体に縫着されたポケット片によって構成されている。ポケット片は、たとえば、長方形のネットの四辺のうち、三辺が本体に縫着され、残る一辺が保持具を入れるための入口として開放されている。
【０００８】
この従来の保冷具保持体は、保持部に保冷具を挿入するときや、保冷ボックスの搬送時などに、ポケット片の底部など、本体に縫着された部分に負荷がかかる。そのため、ポケット片を構成するネットが破れたり、ポケット片を本体に縫着する糸が切れてほつれたりするおそれがあり、耐久性に課題がある。
【０００９】
また、特許文献２に記載された蓄冷用シートにおいて、蓄冷材を収納するための複数の収納ポケットは、たとえばメッシュ状の長方形のシートがその周縁部および収納ポケットの境界にてベースシートに縫合されることによって形成されている（同文献、第００１９段落等を参照）。
【００１０】
この従来の蓄冷用シートの収納ポケットに蓄冷材を収納するには、ベースシートに設けられた収納口の開口部に蓄冷材を挿入する（同文献、第００２６段落および図２（ｂ）等を参照）。そのため、蓄冷用シートをコンテナの内壁に取り付けた状態では、収納ポケットに蓄冷材を収納することができず、蓄冷材の出し入れが煩雑である。
【００１１】
本考案は、前記課題に鑑みてなされたものであり、容器内に蓄冷材や蓄熱材などの冷温材を保持することができ、冷温材の配置や取り出しが容易で、耐久性の高い冷温材の保持部材およびそれを備えた冷温容器を提供することを目的とする。
【課題を解決するための手段】
【００１２】
前記目的を達成すべく、本考案の一態様は、容器と、該容器の内部を保冷または保温する冷温材を保持するための保持部材と、を備えた冷温容器であって、前記保持部材は、前記容器の内側で該容器の側壁に沿って配置される支材部と、該支材部に設けられて前記冷温材を保持する保持部と、を備え、前記保持部は、前記容器の底壁に垂直な高さ方向の両側が開放されていることを特徴とする冷温容器である。
【００１３】
また、本考案の一態様は、容器の内部を保冷または保温する冷温材を保持するための保持部材であって、前記容器の内側で該容器の側壁に沿って配置される支材部と、該支材部に設けられて前記冷温材を保持する保持部と、を備え、前記保持部は、前記容器の底壁に垂直な方向の両側が開放されていることを特徴とする保持部材である。
【００１４】
本考案の上記各態様によれば、たとえば蓄冷材や蓄熱材などの冷温材を容器内に収容して容器内を保冷または保温するときに、容器内に収容した保持部材によって冷温材を保持することができる。ここで、上記各態様において、容器の内側で冷温材を保持する保持部材は、容器の内側で容器の側壁に沿って配置される支材部と、その支材部に設けられて冷温材を保持する保持部と、を備えている。
【００１５】
この構成により、容器の内側で容器の側壁に沿って配置される支材部に設けられた保持部に冷温材を保持させることで、冷温材を容器の内側で容器の側壁に沿って配置することができる。なお、冷温材は、保持部によって、支材部よりも容器の内側、すなわち、容器の側壁に対向する支材部の外側の面とは反対側の支材部の内側の面に保持される。
【００１６】
さらに、上記各態様において、保持部材の保持部は、容器の底壁に垂直な高さ方向の両側が開放されている。この構成により、たとえば、容器の底壁を下にして容器をおおむね水平に配置したときに、冷温材を高さ方向の上方から下方へ向けて保持部に挿入することで、冷温材を保持部材の保持部によって容易に保持することができる。
【００１７】
また、保持部は、容器の底壁に垂直な高さ方向の両側が開放されているので、冷温材を高さ方向の上方から下方へ向けて保持部に挿入していくと、冷温材は、保持部に対して摺動しながら、保持部の内側を通って高さ方向の下方へ移動していく。そして、冷温材の下端は、保持部の下端に突き当たることなく、容器の底壁に到達して容器の底壁によって支持される。
【００１８】
これにより、冷温材は、容器の底壁と容器の内側で容器の側壁に沿って配置された保持部材の支材部に設けられた保持部とによって、容器の内側に保持および支持された状態になる。また、冷温材を保持部材の保持部に保持させるときに、冷温材の下端が保持部の下端に突き当たることがないので、保持部材の保持部および支材部に大きな負荷がかかることが防止される。また、容器の搬送時に、たとえば容器が振動しても、容器の底壁に垂直な高さ方向において、冷温材が保持部材の保持部に対して摺動可能であるため、保持部材の耐久性を向上させることができる。
【００１９】
また、保持部材に保持された冷温材を取り出すときには、容器の底壁に垂直な高さ方向において、保持部の上端が開放されているので、上方から保持部に保持された冷温材をつかんで容易に取り出すことができる。以上のように、本考案の上記各態様によれば、容器内に蓄冷材や蓄熱材などの冷温材を保持することができ、冷温材の配置や取り出しが容易で、耐久性の高い冷温材の保持部材およびそれを備えた冷温容器を提供することができる。
【００２０】
本考案の上記いずれかの態様において、前記保持部材の前記支材部は、矩形箱型の前記容器の前記側壁において隣接する二以上の面に沿って配置されていてもよい。この態様により、容器の底壁に垂直な平面視で、保持部材の支材部は、容器の側壁の二面に沿うＬ字型、容器の側壁の三面に沿う角Ｕ字型もしくはチャネル型、または容器の側壁の四面に沿う矩形筒型の形状を成し、容器内で側壁に接合されることなく自立可能になる。
【００２１】
これにより、たとえば、容器の側壁と保持部材の支材部との間に面ファスナーを設置する必要がなくなり、容器の内側で側壁に結露が生じた場合でも雑菌の繁殖を防止することができ、容器の内側を清潔に保つことができる。また、保持部材の支材部を容器の側壁に固定する面ファスナーや接合部を設ける必要がないので、容器に対する保持部材の設置と取り外しが容易になる。
【００２２】
本考案の上記いずれかの態様において、前記保持部材の前記支材部は、前記容器の前記側壁の全周にわたって配置されていてもよい。この態様により、保持部材の支材部は、容器の形状に応じた筒形の形状をなし、容器内で側壁に接合されることなく自立可能になる。たとえば、容器の形状が円筒状、多角形柱状、楕円柱状などである場合には、保持部材の支材部は、たとえば、円筒状、多角形筒状、楕円筒状の形状をなし、容器内で側壁に接合されることなく自立可能になる。なお、保持部材の支材部は、容器の底壁に沿う部分を有してもよい。
【００２３】
本考案の上記いずれかの態様において、前記保持部材の前記支材部は、前記高さ方向において、前記容器の前記底壁から該底壁とは反対側の前記側壁の端部まで延在していてもよい。この態様により、たとえば、容器の内側で容器の側壁に結露が生じた場合でも、保持部材の支材部によって容器の底壁に垂直な高さ方向における容器の側壁の全体を覆うことで、容器の内容物が濡れるのを防止できる。
【００２４】
本考案の上記いずれかの態様において、前記保持部材の前記保持部は、前記高さ方向において、前記容器の前記底壁とは反対側の前記側壁の端部との間に間隙を有してもよい。この態様により、たとえば、容器の底壁を下にして容器をおおむね水平に配置したときに、保持部材の保持部の上端部と容器の側壁の上端部との間で、冷温材を保持部から露出させ、冷温材によって容器の内側を効果的に保冷または保温することができる。
【００２５】
本考案の上記いずれかの態様において、前記保持部材の前記保持部は、前記高さ方向において、前記容器の前記底壁との間に間隙を有してもよい。この態様により、たとえば、容器の底壁を下にして容器をおおむね水平に配置したときに、保持部材の保持部の下端部と容器の底壁との間で、冷温材を保持部から露出させ、冷温材によって容器の内側を効果的に保冷または保温することができる。
【００２６】
本考案の上記いずれかの態様において、前記保持部材の前記保持部は、前記支材部と、該支材部に取り付けられた帯状部とによって構成されていてもよい。この態様により、たとえば、シート状の支材部と、その支材部に取り付けられる帯状部とを別に製作し、その後、支材部に帯状部を取り付けることで、支材部と帯状部によって保持部を構成することができる。そのため、支材部に保持部が設けられた保持部材を一体成形する場合と比較して、保持部材の製作を容易にして、製造コストを低減することができる。
【００２７】
また、たとえば冷温容器の使用時に保持部材の保持部に負荷がかかった場合でも、冷温材を囲む帯状部が弾性的に変形することで、帯状部および支材部の損傷を防止することができる。より具体的には、たとえば、冷温材を囲む帯状部が内側から外側に引っ張られたり、冷温材が保持されていない状態で帯状部が外側から内側に押されたりしても、環状の帯状部がたわんで弾性的に変形することで、帯状部および支材部の損傷を防止することができる。
【００２８】
なお、前記帯状部は、伸縮性を有する素材によって構成され、前記保持部に前記冷温材を保持していない状態で収縮した状態にあり、前記保持部に前記冷温材を保持した状態で伸長した状態にあってもよい。これにより、保持部に冷温材を保持した状態で、帯状部を伸長させて収縮力を生じさせ、帯状部によって冷温材を締め付けて保持することができる。
【００２９】
本考案の上記いずれかの態様において、前記保持部材の前記保持部を構成する前記帯状部は、前記冷温材を露出させる複数の貫通孔を有してもよい。この態様により、冷温材が帯状部によって覆われる面積を減少させ、帯状部の貫通孔に露出した冷温材によって、容器の内部をより効果的に保冷または保温することができる。
【００３０】
本考案の上記いずれかの態様において、前記容器は、前記高さ方向において前記底壁と反対側の開口部を閉塞する蓋部と、該蓋部の一側を前記側壁に枢動可能に連結するヒンジ部とを有し、前記保持部材は、前記容器の内側で前記蓋部に沿って配置される蓋用支材部と、該蓋用支材部に設けられて前記冷温材を保持する蓋用保持部とを有し、前記蓋用保持部は、前記蓋部の枢動軸と平行な方向の両側が開放されていてもよい。
【００３１】
この態様によれば、容器の蓋部の蓋用保持部に冷温材を保持して、容器の内側をより効果的に保冷または保温することができる。また、容器の底壁を下にして容器をおおむね水平に配置した状態で、ヒンジ部による蓋部の枢動軸はおおむね水平になる。このように配置された容器は、上部の開口部を閉鎖する蓋部をヒンジ部の枢動軸を中心に上方に枢動させることで、容器の開口部を開放することができる。
【００３２】
ここで、蓋用保持部は、蓋部の枢動軸と平行な方向の両側が開放されている。そのため、容器の底壁を下にして容器をおおむね水平に配置した状態で、蓋部の開閉時に、蓋用保持部の開放された両端部は、常に水平方向を向いた状態になる。したがって、蓋部の開閉時に冷温材が重力によって蓋用保持部から落下するのを防止できる。
【００３３】
本考案の上記態様において、前記蓋用保持部は、前記蓋用支材部と、該蓋用支材部に取り付けられた蓋用帯状部とによって構成されていてもよい。この態様により、前記した支材部と帯状部とによって構成された保持部材の保持部と同様の作用および効果を奏することができる。
【００３４】
なお、前記蓋用帯状部は、伸縮性を有する素材によって構成され、前記蓋用保持部に前記冷温材を保持していない状態で収縮した状態にあり、前記蓋用保持部に前記冷温材を保持した状態で伸長した状態にあってもよい。これにより、蓋用保持部に冷温材を保持した状態で、蓋用帯状部を伸長させて収縮力を生じさせ、蓋用帯状部によって冷温材を締め付けて保持することができる。
【００３５】
本考案の上記いずれかの態様において、前記容器は、発泡樹脂製の前記底壁および前記側壁を含む断熱容器であってもよい。これにより、容器の内部と外部との間の熱の移動を抑制し、容器の内部をより効果的に保冷または保温することができる。
【考案の効果】
【００３６】
本考案の上記態様によれば、容器内に蓄冷材や蓄熱材などの冷温材を保持することができ、冷温材の配置や取り出しが容易で、耐久性の向上が可能な冷温材の保持部材およびそれを備えた冷温容器を提供することができる。
【図面の簡単な説明】
【００３７】
【図１】本考案の実施形態１に係る保持部材および冷温容器を示す斜視図。
【図２】図１に示す容器を構成する断熱材と保持部材の平面図。
【図３】図２に示す矢印III方向における矢視図。
【図４】本考案の実施形態２に係る保持部材および冷温容器の一部を示す斜視図。
【図５】図４に示す冷温容器の一部から容器の側壁の一部を取り除いた斜視図。
【図６】本考案の実施形態３に係る保持部材および冷温容器の一部を示す斜視図。
【考案を実施するための形態】
【００３８】
以下、図面を参照して本考案の保持部材および冷温容器の実施形態を説明する。
【００３９】
（実施形態１）
図１は、本考案の実施形態１に係る保持部材１０および冷温容器１００を示す斜視図である。
【００４０】
本実施形態の保持部材１０は、たとえば蓄冷材や蓄熱材など、容器２０の内部を保冷または保温する冷温材Ｃ／Ｈを保持するための部材である。詳細については後述するが、本実施形態の保持部材１０は、次の構成を特徴としている。保持部材１０は、容器２０の内側で容器２０の側壁２２に沿って配置される支材部１１と、その支材部１１に設けられて冷温材Ｃ／Ｈを保持する保持部１２とを備えている。保持部１２は、容器２０の底壁２１に垂直な方向の両側が開放されている。また、本実施形態の冷温容器１００は、容器２０と、上記構成の保持部材１０とを備えることを特徴としている。
【００４１】
以下、本実施形態の冷温容器１００および保持部材１０の詳細について説明する。本実施形態の冷温容器１００は、たとえば、直方体形状の矩形箱形の容器２０を備えている。なお、容器２０の形状は、直方体形状に限定されず、立方体形状、多角形筒状、円筒形状、楕円筒状等、任意の形状に変更することができる。
【００４２】
容器２０は、たとえば、長方形の底壁２１と、その底壁２１の周囲に立設された側壁２２と、その側壁２２によって画定された長方形の開口部２２ａとを備えている。また、容器２０は、底壁２１に垂直な高さＨ方向において、底壁２１と反対側の開口部２２ａを閉塞する蓋部２３と、この蓋部２３の一側を側壁２２に枢動可能に連結するヒンジ部２４とを有している。容器２０の底壁２１、側壁２２、および蓋部２３は、それぞれ、たとえば、矩形板状の断熱材ＩＭと、断熱材ＩＭの外側を覆う外装材ＥＭとによって構成されている。
【００４３】
容器２０の底壁２１、側壁２２、および蓋部２３を構成する外装材ＥＭは、たとえば、アルミ蒸着フィルムやアルミ箔等のアルミ素材と、発泡ポリエチレンシートなどの断熱材を積層させて縫製した柔軟なカバーを用いることができる。外装材ＥＭは、容器２０の開口部２２ａの一側における側壁２２の上端部と、蓋部２３の一側とを連結し、側壁２２と蓋部２３との間に前述のヒンジ部２４を構成している。すなわち、本実施形態において、蓋部２３の一側を側壁２２に枢動可能に連結するヒンジ部２４は、可撓性と耐久性を備えた外装材ＥＭによって構成されている。
【００４４】
容器２０の底壁２１、側壁２２、および蓋部２３を構成する断熱材ＩＭは、たとえば、合成樹脂板の積層体または発泡樹脂の成形品が遮熱シートによって覆われた構成を有している。断熱材ＩＭを構成する合成樹脂板または発泡樹脂の材料としては、たとえば、ポリスチレン、ハイインパクトポリスチレン、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の樹脂材料を用いることができる。すなわち、本実施形態の冷温容器１００において、容器２０は、たとえば、発泡樹脂製の底壁２１および側壁２２を含む断熱容器である。なお、容器２０は、さらに、発泡樹脂製の蓋部２３を含んでいる。
【００４５】
容器２０の底壁２１、側壁２２、および蓋部２３を構成する断熱材ＩＭを覆う遮熱シートは、たとえば、合成樹脂フィルムと、その合成樹脂フィルムの表面を覆う反射膜層とを備える積層シートである。合成樹脂フィルムとしては、たとえば、ポリエチレンテレフタレートなどのポリエステル、ポリエチレン等を用いることができる。反射膜層としては、たとえばアルミニウムまたはその他金属を蒸着した反射膜層、もしくはアルミニウムまたはその他金属の箔を積層した反射膜層を用いることができる。
【００４６】
容器２０の側壁２２を構成する矩形板状の４枚の断熱材ＩＭは、容器２０の底壁２１を構成する矩形板状の１枚の断熱材ＩＭの周りを取り囲むように井桁状に組み合わされている。各断熱材ＩＭは、たとえば、外装材ＥＭの内側に面ファスナーを介して取り付けられ、取り外しが可能である。なお、冷温容器１００を構成する容器２０は、外装材ＥＭと断熱材ＩＭによって構成される容器２０に限定されず、たとえば、側壁２２および底壁２１が一体成形された発泡樹脂製の容器であってもよく、外装材ＥＭを有しなくてもよい。
【００４７】
保持部材１０は、前述のように、たとえば蓄冷材や蓄熱材など、容器２０の内部を保冷または保温する冷温材Ｃ／Ｈを保持するための部材である。保持部材１０は、前述のように、容器２０の内側で容器２０の側壁２２に沿って配置される支材部１１と、その支材部１１に設けられて冷温材Ｃ／Ｈを保持する保持部１２とを備え、容器２０の底壁２１に垂直な高さＨ方向の両側が開放されている。
【００４８】
図２は、図１に示す容器２０の側壁２２および底壁２１を構成する断熱材ＩＭと保持部材１０の平面図である。図３は、図２に示す保持部材１０の矢印III方向の矢視図である。なお、図３では、保持部材１０の両端部を破断して、保持部材１０の向こう側の容器２０の側壁２２の一部を図示している。
【００４９】
保持部材１０の支材部１１は、たとえば、容器２０の内側で容器２０の側壁２２に沿って配置された板状の部材である。支材部１１は、たとえば、プラスチックダンボールやプラパール（登録商標）など、紙製の段ボールと同様の中空構造を有するプラスチック製の板材や、中空構造を有しない樹脂製の板材、熱可塑性樹脂発泡成形体などによって構成されている。
【００５０】
保持部材１０の支材部１１は、たとえば、矩形箱型の容器２０の側壁２２において隣接する二以上の面に沿って配置されている。本実施形態において、支材部１１は、たとえば、容器２０の側壁２２の全周にわたって配置されている。すなわち、支材部１１は、たとえば、矩形箱型の容器２０の内側に配置された矩形筒状の部材であり、容器２０の側壁２２の四面に沿って配置されている。支材部１１は、たとえば、容器２０の底壁２１に垂直な高さＨ方向の両端が開放された筒状の部材である。なお、支材部１１は、高さＨ方向の下端に底部を有する有底筒状に形成されていてもよい。
【００５１】
なお、保持部材１０の支材部１１は、筒状に限定されず、たとえば、矩形箱型の容器２０の側壁２２の各面に沿って配置されるシート状または板状の部材であってもよい。この場合、たとえば、支材部１１の底壁２１側の端部を容器２０の高さＨ方向に延出させ、支材部１１に高さＨ方向の延出部を設けてもよい。同様に、容器２０の高さＨ方向に直交する支材部１１の幅方向の端部をその幅方向に延出させ、支材部１１に幅方向の延出部を設けてもよい。このような延出部を、側壁２２を構成する断熱材ＩＭと底壁２１を構成する断熱材ＩＭとの間や、互いに隣接する側壁２２を構成する断熱材ＩＭと断熱材ＩＭとの間に挿入することで、支材部１１を容器２０の側壁２２に沿って配置してもよい。また、支材部１１は、たとえば面ファスナーや磁石、または接着剤などを介して容器２０の側壁２２に固定することができる。また、支材部１１は、たとえば、容器２０の底壁２１に垂直な平面視で、容器２０の側壁２２の二面に沿うＬ字型、容器２０の側壁２２の三面に沿う角Ｕ字型もしくはチャネル型の形状を有してもよい。
【００５２】
保持部材１０の支材部１１は、たとえば、容器２０の底壁２１に垂直な高さＨ方向において、容器２０の底壁２１から、底壁２１とは反対側の側壁２２の端部まで延在している。すなわち、支材部１１は、高さＨ方向において、容器２０の側壁２２の一端から他端までの全体を覆っている。なお、支材部１１は、必ずしも容器２０の底壁２１から底壁２１とは反対側の側壁２２の端部まで延在している必要はなく、少なくとも容器２０の底壁２１から底壁２１とは反対側の保持部１２の端部まで延在していればよい。
【００５３】
保持部材１０の保持部１２は、前述のように、支材部１１に設けられて冷温材Ｃ／Ｈを保持するように構成されている。保持部１２は、前述のように、容器２０の底壁２１に垂直な高さＨ方向の両側が開放され、高さＨ方向において冷温材Ｃ／Ｈの少なくとも一部を保持している。保持部１２は、たとえば、高さＨ方向に直交する冷温材Ｃ／Ｈの周方向において、冷温材Ｃ／Ｈの全周を囲む環状に設けられている。
【００５４】
保持部材１０の保持部１２は、たとえば、支材部１１と、その支材部１１に取り付けられた帯状部１３とによって構成されている。換言すると、保持部材１０の支材部１１と帯状部１３とは、それぞれ個別に製作された別の部材である。帯状部１３は、たとえば、容器２０の高さＨ方向に直交する冷温材Ｃ／Ｈの周方向において、冷温材Ｃ／Ｈの少なくとも一部を囲む環状に設けられている。帯状部１３は、冷温材Ｃ／Ｈの容器２０の内側を向く表面の一部、たとえば、容器２０の高さＨ方向における中央部を支持している。
【００５５】
保持部材１０の保持部１２を構成する帯状部１３は、たとえば、容器２０の長さＬ方向または奥行Ｄ方向の両端部が、保持部材１０の支材部１１に支持されている。帯状部１３は、たとえば、容器２０の長さＬ方向または奥行Ｄ方向の両端部が、支材部１１に設けられた貫通孔１１ａに挿通され、支材部１１に支持されている。帯状部１３は、たとえば、支材部１１の貫通孔１１ａに挿通された両端部が、容器２０の側壁２２に対向する支材部１１の外側で溶着や接着によって接続され、冷温材Ｃ／Ｈの全周を囲む環状に設けられ、支材部１１とともに冷温材Ｃ／Ｈの全周を囲む環状の保持部１２を構成している。この構成により、支材部１１と容器２０の側壁２２との間には、微小な隙間Ｇが形成されている。
【００５６】
なお、保持部材１０は、支材部１１と帯状部１３とが別の部材である構成に限定されない。保持部材１０は、たとえば、支材部１１と帯状部１３とを一体成形によって一部材として構成してもよい。たとえば、支材部１１に平行な直線状の二本の切り込みまたはスリットを設け、この二本の切込みまたはスリットの間の帯状の部分を容器２０の内側にたわませて帯状部１３としてもよい。この場合、支材部１１と容器２０の側壁２２との間に隙間Ｇが形成されていなくてもよい。また、帯状部１３は、たとえば、支材部１１の貫通孔１１ａを貫通した両端部が接続されていなくてもよい。この場合、支材部１１の貫通孔１１ａに挿通された帯状部１３の両端部にストッパーを設けてもよい。また、保持部材１０は、たとえば、支材部１１に貫通孔１１ａを設けることなく、溶着、接着、縫合またはリベットを含む締結具などによって、帯状部１３の両端部を支材部１１に固定してもよい。この場合、帯状部１３は、冷温材Ｃ／Ｈの周方向の一部を囲み、支材部１１とともに冷温材Ｃ／Ｈの全周を囲む環状の保持部１２を構成する。
【００５７】
保持部材１０を構成する帯状部１３は、たとえば、前述の支材部１１と同様のシート材や板材によって構成することができる。また、帯状部１３は、たとえば、金属板、ゴムバンド、布製の伸縮バンドによって構成してもよい。また、帯状部１３は、たとえば、長さＬを調節可能なバックルなどの調節機構を備えてもよく、一端に面ファスナーを備え、他端が支材部１１に固定された一対の伸縮バンドによって構成してもよい。帯状部１３を構成する素材の熱伝導率は、たとえば、容器２０の底壁２１、側壁２２および蓋部２３を構成する断熱材ＩＭの素材の熱伝導率と同等以上であってもよく、同等以下であってもよい。
【００５８】
保持部１２は、たとえば、容器２０の底壁２１に垂直な高さＨ方向において、容器２０の底壁２１とは反対側の側壁２２の端部との間に間隙ｇｔを有している。また、保持部１２は、たとえば、高さＨ方向において、容器２０の底壁２１との間に間隙ｇｂを有している。これにより、保持部１２は、前述のように、高さＨ方向の両側が開放された矩形環状に設けられ、高さＨ方向において冷温材Ｃ／Ｈの一部を周方向に取り囲んで保持している。より具体的には、保持部１２は、高さＨ方向において、冷温材Ｃ／Ｈの中間部を除く下部と上部の表面を容器２０の内部に露出させている。
【００５９】
また、本実施形態の冷温容器１００において、保持部材１０は、容器２０の内側で蓋部２３に沿って配置される蓋用支材部１４と、その蓋用支材部１４に設けられて冷温材Ｃ／Ｈを保持する蓋用保持部１５とを有している。図１に示す例において、蓋部２３を構成する断熱材ＩＭが、蓋用支材部１４として用いられている。蓋用保持部１５は、たとえば長方形板状の冷温材Ｃ／Ｈの短手方向の全周を囲む環状に設けられ、蓋部２３の枢動軸２３ａと平行な方向の両側が開放されている。
【００６０】
蓋用保持部１５は、たとえば、断熱材ＩＭである蓋用支材部１４と、その蓋用支材部１４に取り付けられた蓋用帯状部１６とによって構成されている。蓋用帯状部１６は、たとえば前述の保持部１２を構成する帯状部１３と同様の素材によって構成され、蓋用支材部１４である断熱材ＩＭに、溶着、接着、縫合またはリベットを含む締結具などによって固定されている。また、蓋用帯状部１６の両端部は、前述の保持部１２を構成する帯状部１３と同様に、たとえば蓋用支材部１４である断熱材ＩＭに設けられた貫通孔に挿通され、断熱材ＩＭと外装材ＥＭとの間で接合され、冷温材Ｃ／Ｈの全周を囲む環状に設けられていてもよい。
【００６１】
以下、本実施形態の保持部材１０および冷温容器１００の作用について説明する。
【００６２】
本実施形態の保持部材１０および冷温容器１００は、たとえば、生鮮食品、加工食品、飲料、医薬品等の温度管理が必要な物品を、所定の時間にわたって所定の温度範囲の温度に保冷または保温しながら輸送または一時的に保管する用途に使用される。
【００６３】
本実施形態の冷温容器１００は、上記のような温度管理が必要な物品を収容する容器２０と、その容器２０の内側に収容される保持部材１０とを備えている。また、本実施形態の保持部材１０は、容器２０の内部を保冷または保温する冷温材Ｃ／Ｈを保持するための部材であり、容器２０の内側で容器２０の側壁２２に沿って配置される支材部１１と、その支材部１１に設けられて冷温材Ｃ／Ｈを保持する保持部１２とを備えている。そして、保持部１２は、容器２０の底壁２１に垂直な方向の両側が開放されている。
【００６４】
このような構成の保持部材１０および冷温容器１００を用いて上記のような温度管理が必要な物品の輸送または一時的な保管を行うには、まず、容器２０内に保持部材１０を配置する。このとき、保持部材１０の支材部１１を、容器２０の内側で容器２０の側壁２２に沿って配置するだけでよく、保持部材１０の配置が容易である。また、保持部材１０の支材部１１を、容器２０の内側で容器２０の側壁２２に沿って配置することで、容器２０の側壁２２を内容物である物品から保護し、容器２０の耐久性を向上させることができる。また、保持部材１０は、支材部１１と保持部１２とからなる簡潔な構成であることから、製造コストが低減され、定期的な交換が可能になり、容器２０の側壁２２を汚損や損傷から保護して耐用期間を延長することができる。
【００６５】
また、保持部材１０の支材部１１は、前述のように、矩形箱型の容器２０の側壁２２において隣接する二以上の面に沿って配置されている。この構成により、保持部材１０の支材部１１は、容器２０内で側壁２２に接合されることなく自立可能になる。そのため、たとえば、容器２０の側壁２２と保持部材１０の支材部１１との間に面ファスナーを設置する必要がなくなり、容器２０の内側で側壁２２に結露が生じた場合でも雑菌の繁殖を防止することができ、容器２０の内側を清潔に保つことができる。また、保持部材１０の支材部１１を容器２０の側壁２２に固定する面ファスナーや接合部を設ける必要がないので、容器２０に対する保持部材１０の設置と取り外しが容易になる。
【００６６】
また、保持部材１０の支材部１１は、前述のように、容器２０の側壁２２の全周にわたって配置されていている。この構成により、保持部材１０の支材部１１は、矩形箱形の容器２０の形状に応じた矩形筒形の形状をなし、容器２０内で側壁２２に接合されることなく、より確実に容器２０内で自立することが可能になり、側壁２２の内側の全面を保護することができる。
【００６７】
次に、容器２０内に冷温材Ｃ／Ｈを収容して保持部材１０の保持部１２に保持させる。これにより、冷温材Ｃ／Ｈを容器２０の内側で容器２０の側壁２２に沿って配置することができる。なお、冷温材Ｃ／Ｈは、保持部１２によって、支材部１１よりも容器２０の内側、すなわち、容器２０の側壁２２に対向する支材部１１の外側の面とは反対側の支材部１１の内側の面に保持される。
【００６８】
ここで、保持部材１０の保持部１２は、容器２０の底壁２１に垂直な高さＨ方向の両側が開放されている。この構成により、たとえば、容器２０の底壁２１を下にして容器２０をおおむね水平に配置したときに、冷温材Ｃ／Ｈを高さＨ方向の上方から下方へ向けて保持部１２に挿入することで、冷温材Ｃ／Ｈを保持部材１０の保持部１２によって容易に保持することができる。
【００６９】
また、保持部１２は、容器２０の底壁２１に垂直な高さＨ方向の両側が開放されているので、冷温材Ｃ／Ｈを高さＨ方向の上方から下方へ向けて保持部１２に挿入していくと、冷温材Ｃ／Ｈは、保持部１２に対して摺動しながら、保持部１２の内側を通って高さＨ方向の下方へ移動していく。そして、冷温材Ｃ／Ｈの下端は、保持部１２の下端に突き当たることなく、容器２０の底壁２１に到達して容器２０の底壁２１によって支持される。
【００７０】
これにより、冷温材Ｃ／Ｈは、容器２０の底壁２１と容器２０の内側で容器２０の側壁２２に沿って配置された保持部材１０の支材部１１に設けられた保持部１２とによって、容器２０の内側に保持および支持された状態になる。また、冷温材Ｃ／Ｈを保持部材１０の保持部１２に保持させるときに、冷温材Ｃ／Ｈの下端が保持部１２の下端に突き当たることがないので、保持部材１０の保持部１２および支材部１１に大きな負荷がかかることが防止される。また、容器２０の搬送時に、たとえば容器２０が振動しても、容器２０の底壁２１に垂直な高さＨ方向において、冷温材Ｃ／Ｈが保持部材１０の保持部１２に対して摺動可能であるため、保持部１２に大きな負荷が掛かることが防止される。これにより、保持部材１０の耐久性を向上させることができる。
【００７１】
また、保持部材１０に保持された冷温材Ｃ／Ｈを取り出すときには、容器２０の底壁２１に垂直な高さＨ方向において、保持部１２の上端が開放されているので、上方から保持部１２に保持された冷温材Ｃ／Ｈをつかんで容易に取り出すことができる。このように、本実施形態によれば、容器２０内に蓄冷材や蓄熱材などの冷温材Ｃ／Ｈを保持することができ、冷温材Ｃ／Ｈの配置や取り出しが容易で、耐久性の向上が可能な保持部材１０およびそれを備えた冷温容器１００を提供することができる。
【００７２】
また、保持部材１０の保持部１２は、支材部１１と、この支材部１１に取り付けられた帯状部１３とによって構成されている。この構成により、たとえば、シート状の支材部１１と、その支材部１１に取り付けられる帯状部１３とを別に製作し、その後、支材部１１に帯状部１３を取り付けることで、支材部１１と帯状部１３によって保持部１２を構成することができる。そのため、支材部１１に保持部１２が設けられた保持部材１０を一体成形する場合と比較して、保持部材１０の製作を容易にして、製造コストを低減することができる。
【００７３】
また、たとえば冷温容器１００の使用時に保持部材１０の保持部１２に負荷がかかった場合でも、冷温材Ｃ／Ｈを囲む帯状部１３が弾性的に変形することで、帯状部１３および支材部１１の損傷を防止することができる。より具体的には、たとえば、冷温材Ｃ／Ｈを囲む帯状部１３が内側から外側に引っ張られたり、冷温材Ｃ／Ｈが保持されていない状態で帯状部１３が外側から内側に押されたりしても、環状の帯状部１３がたわんで弾性的に変形することで、帯状部１３および支材部１１の損傷を防止することができる。
【００７４】
また、帯状部１３は、前述のように、伸縮性を有する素材によって構成され、保持部１２に冷温材Ｃ／Ｈを保持していない状態で収縮した状態にあり、保持部１２に冷温材Ｃ／Ｈを保持した状態で伸長した状態にあってもよい。この場合、保持部１２に冷温材Ｃ／Ｈを保持した状態で、帯状部１３を伸長させて収縮力を生じさせ、帯状部１３によって冷温材Ｃ／Ｈを締め付けて保持することができる。
【００７５】
また、帯状部１３の素材の熱伝導率が、たとえば、断熱材ＩＭの断熱素材の熱伝導率以上である場合には、保持部１２に保持された冷温材Ｃ／Ｈによる容器２０の内部の保冷または保温の効率を向上させることができる。一方、帯状部１３の素材の熱伝導率が、たとえば、断熱材ＩＭの断熱素材の熱伝導率以下である場合には、冷温材Ｃ／Ｈによって容器２０の内容物が過度に冷却されたり過度に加温されたりするのを防止して、内容物の品質を向上させることができる。
【００７６】
また、冷温容器１００を構成する容器２０は、前述のように、高さＨ方向において底壁２１と反対側の開口部２２ａを閉塞する蓋部２３と、この蓋部２３の一側を側壁２２に枢動可能に連結するヒンジ部２４とを有している。また、保持部材１０は、容器２０の内側で蓋部２３に沿って配置される蓋用支材部１４と、この蓋用支材部１４に設けられて冷温材Ｃ／Ｈを保持する蓋用保持部１５とを有している。そして、蓋用保持部１５は、蓋部２３の枢動軸２３ａと平行な方向の両側が開放されている。
【００７７】
この構成により、容器２０の蓋部２３の蓋用保持部１５に冷温材Ｃ／Ｈを保持して、容器２０の内側をより効果的に保冷または保温することができる。また、容器２０の底壁２１を下にして容器２０をおおむね水平に配置した状態で、ヒンジ部２４による蓋部２３の枢動軸２３ａはおおむね水平になる。このように配置された容器２０は、上部の開口部２２ａを閉鎖する蓋部２３をヒンジ部２４の枢動軸２３ａを中心に上方に枢動させることで、容器２０の開口部２２ａを開放することができる。
【００７８】
ここで、蓋用保持部１５は、蓋部２３の枢動軸２３ａと平行な方向の両側が開放されている。そのため、容器２０の底壁２１を下にして容器２０をおおむね水平に配置した状態で、蓋部２３の開閉時に、蓋用保持部１５の開放された両端部は、常に水平方向を向いた状態になる。したがって、蓋部２３の開閉時に冷温材Ｃ／Ｈが重力によって蓋用保持部１５から落下するのを防止できる。
【００７９】
また、前述のように、蓋用保持部１５が、蓋用支材部１４と、その蓋用支材部１４に取り付けられた蓋用帯状部１６とによって構成されている場合には、支材部１１と帯状部１３とによって構成された保持部材１０の保持部１２と同様の作用および効果を奏することができる。特に、蓋用帯状部１６が伸縮性を有する素材によって構成され、蓋用保持部１５に冷温材Ｃ／Ｈを保持していない状態で収縮した状態にあり、蓋用保持部１５に冷温材Ｃ／Ｈを保持した状態で伸長した状態である場合には、冷温材Ｃ／Ｈが蓋部２３から落下するのを効果的に防止することができる。これは、蓋用保持部１５に冷温材Ｃ／Ｈを保持した状態で、帯状部１３を伸長させて収縮力を生じさせ、帯状部１３によって冷温材Ｃ／Ｈを締め付けて保持することができるためである。
【００８０】
また、冷温容器１００を構成する容器２０は、発泡樹脂製の底壁２１および側壁２２を含む断熱容器であるため、容器２０の内部と外部との間の熱の移動を抑制し、容器２０の内部をより効果的に保冷または保温することができる。さらに、容器２０が発泡樹脂製の蓋部２３を含むことで、蓋部２３を介した容器２０の内部と外部との間の熱の移動を抑制し、容器２０の内部をより効果的に保冷または保温することができる。加えて、保持部材１０の支材部１１と容器２０の側壁２２との間に隙間Ｇを有する場合には、保持部材１０の支材部１１と容器２０の側壁２２との間の空気が、容器２０の断熱層として機能する。そのため、断熱容器としての容器２０の断熱性をより向上することができる。
【００８１】
また、本実施形態の保持部材１０および冷温容器１００は、保持部材１０の支材部１１が、容器２０の底壁２１に垂直な高さＨ方向において、容器２０の底壁２１からその底壁２１とは反対側の側壁２２の端部、すなわち側壁２２の上端部まで延在している。この構成により、たとえば、容器２０の内側で容器２０の側壁２２に結露が生じた場合でも、保持部材１０の支材部１１によって容器２０の底壁２１に垂直な高さＨ方向における容器２０の側壁２２の全体を覆うことで、容器２０の内容物が濡れるのを防止できる。また、容器２０の底壁２１に垂直な高さＨ方向において、支材部１１の両端部を容器２０の底壁２１と蓋部２３とによって支持することができる。これにより、たとえば冷温材Ｃ／Ｈの重みによって支材部１１が容器２０の内側に倒れるのを防止することができる。
【００８２】
また、保持部材１０の保持部１２は、前述のように、容器２０の底壁２１に垂直な高さＨ方向において、容器２０の底壁２１とは反対側の側壁２２の端部との間に間隙ｇｔを有している。この構成により、たとえば、容器２０の底壁２１を下にして容器２０をおおむね水平に配置したときに、保持部材１０の保持部１２の上端部と容器２０の側壁２２の上端部との間で、冷温材Ｃ／Ｈを保持部１２から露出させ、冷温材Ｃ／Ｈによって容器２０の内側を効果的に保冷または保温することができる。
【００８３】
また、保持部材１０の保持部１２は、前述のように、容器２０の底壁２１に垂直な高さＨ方向において、容器２０の底壁２１との間に間隙ｇｂを有している。この構成により、たとえば、容器２０の底壁２１を下にして容器２０をおおむね水平に配置したときに、保持部材１０の保持部１２の下端部と容器２０の底壁２１との間で、冷温材Ｃ／Ｈを保持部１２から露出させ、冷温材Ｃ／Ｈによって容器２０の内側を効果的に保冷または保温することができる。
【００８４】
以上説明したように、本実施形態によれば、容器２０内に蓄冷材や蓄熱材などの冷温材Ｃ／Ｈを保持することができ、冷温材Ｃ／Ｈの配置や取り出しが容易で、耐久性の向上が可能な冷温材Ｃ／Ｈの保持部材１０およびそれを備えた冷温容器１００を提供することができる。
【００８５】
（実施形態２）
次に、本考案の実施形態２に係る保持部材１０Ａおよび冷温容器について、図１および図２を援用し、図４および図５を用いて説明する。図４は、本考案の実施形態２に係る保持部材１０Ａおよび冷温容器の一部を示す斜視図である。図５は、図４に示す冷温容器の一部から容器２０の側壁２２の一部を取り除いた斜視図である。
【００８６】
本実施形態の保持部材１０Ａおよび冷温容器は、保持部材１０Ａの保持部１２Ａの構成が、前述の実施形態１に係る保持部材１０および冷温容器１００と異なっている。本実施形態の保持部材１０Ａおよび冷温容器のその他の構成は、前述の実施形態１に係る保持部材１０および冷温容器１００と同様であるので、同様の部分には同一の符号を付して適宜説明を省略する。
【００８７】
本実施形態において、保持部材１０Ａの保持部１２Ａは、前述の実施形態１に係る保持部材１０と同様に、高さＨ方向の両側が開放されている。このような構成により、本実施形態によれば、前述の実施形態１と同様に、容器２０内に蓄冷材や蓄熱材などの冷温材Ｃ／Ｈを保持することができ、冷温材Ｃ／Ｈの配置や取り出しが容易で、耐久性の向上が可能な冷温材Ｃ／Ｈの保持部材１０Ａおよびそれを備えた冷温容器を提供することができる。
【００８８】
また、保持部材１０Ａは、前述の実施形態１に係る保持部材１０と異なり、冷温材Ｃ／Ｈを保持する保持部１２Ａが、容器２０の底壁２１と接し、容器２０の底壁２１に垂直な高さＨ方向において、底壁２１との間に間隙ｇｂを有しない。この構成により、高さＨ方向において、冷温材Ｃ／Ｈの上端部を除く部分を保持部１２Ａによって保持することができ、冷温材Ｃ／Ｈをより安定して支持することができる。
【００８９】
本実施形態において、保持部材１０Ａは、前述の実施形態１に係る保持部材１０と同様に、支材部１１に設けられて冷温材Ｃ／Ｈを保持する保持部１２Ａが、支材部１１と、該支材部１１に取り付けられた帯状部１３とによって構成されている。しかし、保持部材１０Ａは、前述の実施形態１に係る保持部材１０と異なり、帯状部１３が冷温材Ｃ／Ｈを露出させる複数の貫通孔１３ａを有している。この構成により、冷温材Ｃ／Ｈが帯状部１３によって覆われる面積を減少させ、帯状部１３の貫通孔１３ａに露出した冷温材Ｃ／Ｈによって、容器２０の内部をより効果的に保冷または保温することができる。
【００９０】
（実施形態３）
次に、本考案の実施形態３に係る保持部材および冷温容器について、図１および図２を援用し、図６を用いて説明する。図６は、本考案の実施形態３に係る保持部材１０Ｂおよび冷温容器の一部を示す斜視図である。
【００９１】
本実施形態の保持部材１０Ｂおよび冷温容器は、保持部材１０Ｂの構成が、前述の実施形態１に係る保持部材１０および冷温容器１００と異なっている。本実施形態の保持部材１０Ｂおよび冷温容器のその他の構成は、前述の実施形態１に係る保持部材１０および冷温容器１００と同様であるので、同様の部分には同一の符号を付して適宜説明を省略する。
【００９２】
本実施形態の保持部材１０Ｂおよび冷温容器は、保持部材１０Ｂの支材部１１Ｂが前述の実施形態１において容器２０の側壁２２の一部を構成していた断熱材ＩＭによって構成されている。また、保持部１２Ｂは、断熱材ＩＭである支材部１１Ｂと、その支材部１１Ｂに取り付けられた帯状部１３とによって構成されている。帯状部１３は、たとえば、容器の長さＬ方向または奥行Ｄ方向の両端部が、支材部１１Ｂに設けられた貫通孔１１ａに挿通され、支材部１１Ｂに支持されている。帯状部１３は、たとえば、支材部１１Ｂの貫通孔１１ａに挿通された両端部が、容器の側壁２２に対向する支材部１１Ｂの外側で溶着や接着によって接続され、冷温材Ｃ／Ｈの全周を囲む環状に設けられ、支材部１１Ｂとともに冷温材Ｃ／Ｈの全周を囲む環状の保持部１２Ｂを構成している。
【００９３】
本実施形態において、保持部材１０Ｂの保持部１２Ｂは、前述の実施形態１に係る保持部材１０と同様に、高さＨ方向の両側が開放されている。このような構成により、本実施形態によれば、前述の実施形態１と同様に、容器内に蓄冷材や蓄熱材などの冷温材Ｃ／Ｈを保持することができ、冷温材Ｃ／Ｈの配置や取り出しが容易で、耐久性の向上が可能な冷温材Ｃ／Ｈの保持部材１０Ｂおよびそれを備えた冷温容器を提供することができる。
【００９４】
以上、図面を用いて本考案の実施の形態を詳述してきたが、具体的な構成はこの実施形態に限定されるものではなく、本考案の要旨を逸脱しない範囲における設計変更等があっても、それらは本考案に含まれるものである。
【符号の説明】
【００９５】
１０    保持部材
１０Ａ  保持部材
１０Ｂ  保持部材
１１    支材部
１１Ｂ  支材部
１２    保持部
１２Ａ  保持部
１２Ｂ  保持部
１３    帯状部
１３ａ  貫通孔
１４    蓋用支材部
１５    蓋用保持部
１６    蓋用帯状部
２０    容器
２１    底壁
２２    側壁
２２ａ  開口部
２３    蓋部
２３ａ  枢動軸
２４    ヒンジ部
１００  冷温容器
Ｃ／Ｈ  冷温材
ｇｂ    間隙
ｇｔ    間隙
Ｈ      高さ
【図１】
0003231141.tif 000003
【図２】
0003231141.tif 000004
【図３】
0003231141.tif 000005
【図４】
0003231141.tif 000006
【図５】
0003231141.tif 000007
【図６】
0003231141.tif 000008